(57)【要約】【課題】画像データファイルについて、種々のユーザ属性を設定することができるようにした画像処理装置を提供することを目的としている。【解決手段】ユーザがユーザコードを指定すると、そのときに読取指定して得た画像データファイルに、自分に登録されているオーナー情報が設定されるので、共有領域に保存された画像データファイルの所有者が誰であるかを簡単に調べることができ、非常に便利であるという効果を得る。【選択図】        図２
2004153518.tif 000002
【特許請求の範囲】
【請求項１】
少なくとも原稿画像を読み取る画像読取機能を備えるとともに、ネットワークへ接続し、ネットワークを介して他の端末装置に設けられている共有領域に、上記画像読取機能で読み取って得た画像データを転送するネットワーク画像処理機能を備えた画像処理装置において、
ユーザコードと、当該ユーザコードに対応するユーザ名を登録したユーザ情報テーブルを備え、
画像読取時、ユーザコードを入力させ、上記ユーザ情報テーブルを参照して入力されたユーザコードに対応したユーザ名を取得し、上記画像読取機能により読み取って得た画像データを上記共有領域に転送する際、画像データファイルのオーナーをあらわす情報に上記ユーザ名を登録することを特徴とする画像処理装置。
【請求項２】
少なくとも原稿画像を読み取る画像読取機能を備えるとともに、ネットワークへ接続し、ネットワークを介して他の端末装置に設けられている共有領域に、上記画像読取機能で読み取って得た画像データを転送するネットワーク画像処理機能を備えた画像処理装置において、
画像読取時、ユーザコードを入力させ、上記画像読取機能により読み取って得た画像データを上記共有領域に転送する際、画像データファイルのセキュリティ属性をあらわす情報に上記入力させたユーザコードを登録することを特徴とする画像処理装置。
【請求項３】
少なくとも原稿画像を読み取る画像読取機能を備えるとともに、ネットワークへ接続し、ネットワークを介して他の端末装置に設けられている共有領域に、上記画像読取機能で読み取って得た画像データを転送するネットワーク画像処理機能を備えた画像処理装置において、
画像読取時、ユーザコードおよび追加のユーザコードを入力させ、上記画像読取機能により読み取って得た画像データを上記共有領域に転送する際、画像データファイルのセキュリティ属性をあらわす情報に上記入力させたユーザコードおよび追加のユーザコードを登録することを特徴とする画像処理装置。
【請求項４】
少なくとも原稿画像を読み取る画像読取機能を備えるとともに、ネットワークへ接続し、ネットワークを介して他の端末装置に設けられている共有領域に、上記画像読取機能で読み取って得た画像データを転送するネットワーク画像処理機能を備えた画像処理装置において、
ユーザコードと、当該ユーザコードに対応するユーザ名を登録したユーザ情報テーブルを備え、
画像読取時、ユーザコードを入力させ、上記ユーザ情報テーブルを参照して入力されたユーザコードに対応したユーザ名を取得し、上記画像読取機能により読み取って得た画像データを上記共有領域に転送する際、画像データファイルのオーナーをあらわす情報に上記ユーザ名を登録するとともに、画像データファイルのセキュリティ属性をあらわす情報に上記入力させたユーザコードを登録することを特徴とする画像処理装置。
【請求項５】
少なくとも原稿画像を読み取る画像読取機能を備えるとともに、ネットワークへ接続し、ネットワークを介して他の端末装置に設けられている共有領域に、上記画像読取機能で読み取って得た画像データを転送するネットワーク画像処理機能を備えた画像処理装置において、
ユーザコードと、当該ユーザコードに対応するユーザ名を登録したユーザ情報テーブルを備え、
画像読取時、ユーザコードおよび追加のユーザコードを入力させ、上記ユーザ情報テーブルを参照して入力されたユーザコードに対応したユーザ名を取得し、上記画像読取機能により読み取って得た画像データを上記共有領域に転送する際、画像データファイルのオーナーをあらわす情報に上記ユーザ名を登録するとともに、画像データファイルのセキュリティ属性をあらわす情報に上記入力させたユーザコードおよび追加のユーザコードを登録することを特徴とする画像処理装置。
【発明の詳細な説明】
【０００１】
【発明の属する技術分野】
本発明は、少なくとも原稿画像を読み取る画像読取機能を備えるとともに、ネットワークへ接続し、ネットワークを介して他の端末装置に設けられている共有領域に、上記画像読取機能で読み取って得た画像データを転送するネットワーク画像処理機能を備えた画像処理装置に関する。
【０００２】
【従来の技術】
近年、ネットワーク上に、画像読取機能、プリンタ機能、通信機能、および、ファクシミリ通信機能を備えたネットワーク複合機を設け、ネットワーク上に接続された複数のパーソナルコンピュータ等により、そのネットワーク複合機の機能を自由に利用できるようにしたシステムが実用されている。
【０００３】
また、そのネットワーク複合機の画像読取機能を利用して読み取って得た画像データのファイルをネットワーク複合機に保存するとともに、そのファイルにプライベートファイル属性を設定し、他のユーザが当該ファイルにアクセスできないように制限するような機能を備えたものもある（特許文献１参照）。
【０００４】
【特許文献１】
特開平９−２８４４４８号公報
【０００５】
【発明が解決しようとする課題】
しかしながら、このような従来装置のファイル管理方法では、ネットワーク複合機に複数のユーザがアクセスするような利用形態では有効であるものの、ファイルシステムがパーソナルコンピュータ等とは異なるため、画像データファイルをパーソナルコンピュータに転送した後には、その画像データファイルのアクセス権限を制限する等の制御を行うことができなかった。
【０００６】
本発明は、かかる実情に鑑みてなされたものであり、画像データファイルについて、種々のユーザ属性を設定することができるようにした画像処理装置を提供することを目的としている。
【０００７】
【課題を解決するための手段】
本発明は、少なくとも原稿画像を読み取る画像読取機能を備えるとともに、ネットワークへ接続し、ネットワークを介して他の端末装置に設けられている共有領域に、上記画像読取機能で読み取って得た画像データを転送するネットワーク画像処理機能を備えた画像処理装置において、ユーザコードと、当該ユーザコードに対応するユーザ名を登録したユーザ情報テーブルを備え、画像読取時、ユーザコードを入力させ、上記ユーザ情報テーブルを参照して入力されたユーザコードに対応したユーザ名を取得し、上記画像読取機能により読み取って得た画像データを上記共有領域に転送する際、画像データファイルのオーナーをあらわす情報に上記ユーザ名を登録するようにしたものである。
【０００８】
また、少なくとも原稿画像を読み取る画像読取機能を備えるとともに、ネットワークへ接続し、ネットワークを介して他の端末装置に設けられている共有領域に、上記画像読取機能で読み取って得た画像データを転送するネットワーク画像処理機能を備えた画像処理装置において、画像読取時、ユーザコードを入力させ、上記画像読取機能により読み取って得た画像データを上記共有領域に転送する際、画像データファイルのセキュリティ属性をあらわす情報に上記入力させたユーザコードを登録するようにしたものである。
【０００９】
また、少なくとも原稿画像を読み取る画像読取機能を備えるとともに、ネットワークへ接続し、ネットワークを介して他の端末装置に設けられている共有領域に、上記画像読取機能で読み取って得た画像データを転送するネットワーク画像処理機能を備えた画像処理装置において、画像読取時、ユーザコードおよび追加のユーザコードを入力させ、上記画像読取機能により読み取って得た画像データを上記共有領域に転送する際、画像データファイルのセキュリティ属性をあらわす情報に上記入力させたユーザコードおよび追加のユーザコードを登録するようにしたものである。
【００１０】
また、少なくとも原稿画像を読み取る画像読取機能を備えるとともに、ネットワークへ接続し、ネットワークを介して他の端末装置に設けられている共有領域に、上記画像読取機能で読み取って得た画像データを転送するネットワーク画像処理機能を備えた画像処理装置において、ユーザコードと、当該ユーザコードに対応するユーザ名を登録したユーザ情報テーブルを備え、画像読取時、ユーザコードを入力させ、上記ユーザ情報テーブルを参照して入力されたユーザコードに対応したユーザ名を取得し、上記画像読取機能により読み取って得た画像データを上記共有領域に転送する際、画像データファイルのオーナーをあらわす情報に上記ユーザ名を登録するとともに、画像データファイルのセキュリティ属性をあらわす情報に上記入力させたユーザコードを登録するようにしたものである。
【００１１】
また、少なくとも原稿画像を読み取る画像読取機能を備えるとともに、ネットワークへ接続し、ネットワークを介して他の端末装置に設けられている共有領域に、上記画像読取機能で読み取って得た画像データを転送するネットワーク画像処理機能を備えた画像処理装置において、ユーザコードと、当該ユーザコードに対応するユーザ名を登録したユーザ情報テーブルを備え、画像読取時、ユーザコードおよび追加のユーザコードを入力させ、上記ユーザ情報テーブルを参照して入力されたユーザコードに対応したユーザ名を取得し、上記画像読取機能により読み取って得た画像データを上記共有領域に転送する際、画像データファイルのオーナーをあらわす情報に上記ユーザ名を登録するとともに、画像データファイルのセキュリティ属性をあらわす情報に上記入力させたユーザコードおよび追加のユーザコードを登録するようにしたものである。
【００１２】
【発明の実施の形態】
以下、添付図面を参照しながら、本発明の実施の形態を詳細に説明する。
【００１３】
図１は、本発明の一実施例にかかるネットワークシステムを示している。
【００１４】
同図において、ローカルエリアネットワークＬＡＮには、複数のワークステーション装置ＷＳ１〜ＷＳｎ、および、ネットワーク複合機ＭＦＰが接続されているとともに、ルータ装置ＲＴを介してインターネットへ接続されている。したがって、ワークステーション装置ＷＳ１〜ＷＳｎ、および、ネットワーク複合機ＭＦＰは、インターネットを介し、他の適宜な端末装置との間でデータをやりとりすることができる。
【００１５】
また、ワークステーション装置ＷＳ１〜ＷＳｎには、装備されているストレージ手段の一部に共有領域を設けて他の端末装置（例えば、ネットワーク複合機ＭＦＰ）からアクセスできるようにするファイル共有機能や、ファクシミリ画情報を作成および表示出力するファクシミリアプリケーションソフトウェア、および、ローカルエリアネットワークＬＡＮを介して種々のデータのやりとりを行うための種々のソフトウェアなどの種々のプログラムが導入されており、特定のユーザにより使用されるものである。ここで、特定のユーザは、一人または複数人のユーザであってよい。
【００１６】
また、ネットワーク複合機ＭＦＰは、ワークステーション装置ＷＳ１〜ＷＳｎに設けられている共有領域へアクセスして適宜にデータを保存することのできる共有領域アクセス機能、アナログ公衆回線網ＰＳＴＮに接続し、この公衆網を伝送路として用いてグループ３ファクシミリ伝送手順による画情報伝送を行うファクシミリ伝送機能、および、読み取った画像データをワークステーション装置ＷＳ１〜ＷＳｎの共有領域へ保存するネットワークスキャナ機能等の種々の機能を複号して備えている。
【００１７】
図２は、ネットワーク複合機ＭＦＰの構成例を示している。
【００１８】
同図において、システム制御部１は、このネットワーク複合機ＭＦＰの各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワーク複合機ＭＦＰに固有な各種の情報を記憶するためのものであり、時計回路４は、現在時刻情報を出力するものである。
【００１９】
スキャナ５は、所定の解像度で原稿画像を読み取るためのものであり、プロッタ６は、所定の解像度で画像を記録出力するためのものであり、操作表示部７は、このネットワーク複合機ＭＦＰを操作するためのもので、各種の操作キー、および、各種の表示器からなる。
【００２０】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２１】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２２】
網制御装置１１は、このネットワーク複合機ＭＦＰをアナログ公衆回線網ＰＳＴＮに接続するためのものであり、自動発着信機能を備えている。
【００２３】
ローカルエリアネットワークインターフェース回路１２は、このネットワーク複合機ＭＦＰをローカルエリアネットワークＬＡＮに接続するためのものであり、ローカルエリアネットワーク伝送制御部１３は、ローカルエリアネットワークＬＡＮを介して、他のデータ端末装置との間で種々のデータをやりとりするための各種所定のプロトコルスイートの通信制御処理を実行するためのものである。
【００２４】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、ローカルエリアネットワーク伝送制御部１３は、内部バス１４に接続されており、これらの各要素間でのデータのやりとりは、主としてこの内部バス１４を介して行われている。
【００２５】
また、網制御装置１１とグループ３ファクシミリモデム１０との間のデータのやりとりは、直接行なわれている。
【００２６】
図３は、ワークステーション装置ＷＳ（ＷＳ１〜ＷＳｎ）の構成例を示している。
【００２７】
同図において、ＣＰＵ（中央処理装置）２１は、このワークステーション装置ＷＳの動作制御を行うものであり、ＲＯＭ（リード・オンリ・メモリ）２２は、ＣＰＵ２１が起動時に実行するプログラムや必要なデータ等を記憶するためのものであり、ＲＡＭ（ランダム・アクセス・メモリ）２３は、ＣＰＵ２１のワークエリア等を構成するためのものである。
【００２８】
キャラクタジェネレータ２４は、図形文字の表示データを発生するためのものであり、時計回路２５は、現在日時情報を出力するためのものであり、ローカルエリアネットワークインターフェース回路２６は、このワークステーション装置ＷＳをローカルエリアネットワークＬＡＮに接続するためのものであり、ローカルエリアネットワーク伝送制御部２７は、ローカルエリアネットワークＬＡＮを介して、他のデータ端末装置との間で種々のデータをやりとりするための各種所定のプロトコルスイートの通信制御処理を実行するためのものである。
【００２９】
磁気ディスク装置２８は、種々のアプリケーションプログラム、ワークデータ、ファイルデータ、画情報データなどの種々のデータを記憶するためのものであり、ＣＲＴ画面表示装置２９は、このワークステーション装置ＷＳを操作するための画面を表示するためのものであり、表示制御部３０は、ＣＲＴ画面表示装置２９の表示内容を制御するためのものである。
【００３０】
キーボード装置３１は、このワークステーション装置ＷＳに種々のキー操作を行うためのものであり、画面指示装置３２は、ＣＲＴ画面表示装置２８の任意の座標を指示する等の操作作業を行うためのものであり、入力制御部３３は、キーボード装置３１および画面指示装置３２の入力情報を取り込む等するためのものである。
【００３１】
これらのＣＰＵ２１、ＲＯＭ２２、ＲＡＭ２３、キャラクタジェネレータ２４、時計回路２５、ローカルエリアネットワーク伝送制御部２７、磁気ディスク装置２８、表示制御部３０、および、入力制御部３３は、バス３４に接続されており、これらの各要素間のデータのやりとりは、主としてこのバス３４を介して行われる。
【００３２】
ここで、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ  Ｍａｉｌ  Ｔｒａｎｓｆｅｒ  Ｐｒｏｔｏｃｏｌ）という通信プロトコルが適用される。
【００３３】
また、ワークステーション装置ＷＳ１〜ＷＳｎに設けた共有領域へのアクセスの際には、ＳＭＢ（Ｓｅｒｖｅｒ  Ｍｅｓｓａｇｅ  Ｂｌｏｃｋ）プロトコルが用いられる。
【００３４】
また、ＴＣＰ／ＩＰ，ＳＭＴＰ，ＰＯＰなどの通信プロトコル、および、電子メールのデータ形式やデータ構造などについては、それぞれＩＥＴＦから発行されているＲＦＣ文書により規定されている。例えば、ＴＣＰはＲＦＣ７９３、ＩＰはＲＦＣ７９３、ＳＭＴＰはＲＦＣ８２１、電子メールの形式は、ＲＦＣ８２２，ＲＦＣ１５２１，ＲＦＣ１５２２（ＭＩＭＥ（Ｍｕｌｔｉ  Ｐｕｒｐｏｓｅ
Ｍａｉｌ  Ｅｘｔｅｎｓｉｏｎ）形式）などでそれぞれ規定されている。
【００３５】
また、ＳＭＢは、マイクロソフト社のＷｉｎｄｏｗｓ  ＮＴ／２０００／ＸＰやＷｉｎｄｏｗｓ  ９５／９８／Ｍｅなど（以下、「Ｗｉｎｄｏｗｓ系のＯＳ」という）でネットワークを通じてファイル共有やプリンタ共有を実現するプロトコルであり、下位のプロトコルとしてＮｅｔＢＩＯＳを使う、いわゆるＭＳ−ＤＯＳ時代のＬＡＮ  Ｍａｎａｇｅｒから使われているアプリケーションソフトである。ＳＭＢプロトコルはマイクロソフト社が主に開発し、現在でも改良を続けている独自のプロトコルであるが、これを正式にドキュメント化して、インターネット上などでファイル共有サービスとして利用できるようにしたものをＣＩＦＳ（Ｃｏｍｍｏｎ  Ｉｎｔｅｒｎｅｔ  Ｆｉｌｅ  Ｓｙｓｔｅｍ）プロトコルと呼び、その仕様が公開されている。ＵＮＩＸ系のＯＳ環境（サンマイクロシステム社のＳｏｌａｌｉｓや、Ｌｉｎｕｘ、ＦｒｅｅＢＳＤおよびＮｅｔ−ＢＳＤ等のいわゆるＰＣ−Ｕｎｉｘ）では、このＳＭＢ／ＣＩＦＳプロトコルを実装したファイル／プリンタ共有サービスであるＳａｍｂａが利用できる。
【００３６】
なお、「Ｕｎｉｘ」は、Ｔｈｅ  Ｏｐｅｎ  Ｇｒｏｕｐ  Ｌｔｄ．が独占的にライセンスしている米国ならびに他の国における登録商標である。
【００３７】
そして、ネットワーク複合機ＭＦＰは、読み取った原稿画像をアナログ公衆回線網ＰＳＴＮを介して他のグループ３ファクシミリ装置へ送信したり、原稿画像データをローカルエリアネットワークＬＡＮを介してワークステーション装置ＷＳ１〜ＷＳｎの共有領域へ保存したり、アナログ公衆回線網ＰＳＴＮを介して他のグループ３ファクシミリ装置より受信した画情報を、そのときに指定されたサブアドレスに対応したユーザに対して、ＳＭＢを用いて転送したり、あるいは、ローカルエリアネットワークＬＡＮのワークステーション装置ＷＳより受信した画情報を、指定されたアナログ公衆回線網ＰＳＴＮのグループ３ファクシミリ装置へ転送する転送サービス機能等を備えている。
【００３８】
また、ワークステーション装置ＷＳ１〜ＷＳｎは、例えば、Ｗｉｎｄｏｗｓ系のＯＳがインストールされ、上述したＳＭＢによるファイルサーバ機能により、あらかじめ登録されている共有領域に対して、外部の端末装置からアクセス（ファイルの保存）ができるようにしている。
【００３９】
通常、ワークステーション装置ＷＳ１〜ＷＳｎに、Ｗｉｎｄｏｗｓ系のＯＳをインストールしておくだけで、このファイル共有機能を利用することができるので、ファイル共有機能を備えるために他の特別なソフトウェアをインストールする必要がなく、非常に便利である。
【００４０】
さて、本実施例では、ネットワーク複合機ＭＰＦのネットワークスキャナ機能を使用する場合、ユーザは、自分に割り当てられている利用ユーザコードを入力することができる。
【００４１】
この利用ユーザコードは、読み込んだ画像データファイルのオーナー情報（所有者情報）や、セキュリティ情報（アクセス権／アクセス情報）を設定する際に参照されるものであり、ネットワーク複合機ＭＦＰには、図４（ａ）に示したようなユーザコードテーブルが保存されている。
【００４２】
このユーザコードテーブルは、複数ユーザについてユーザ情報を保存したものであり、それぞれのユーザ情報は、例えば、同図（ｂ）に示すように、利用者ユーザコードと、当該ユーザのユーザ名をあらわすオーナー情報からなる。
【００４３】
以上の構成で、ユーザがネットワーク複合機ＭＰＦのネットワークスキャナ機能を使用するとき、読取原稿をスキャナ５にセットし、操作表示部７の操作キーを適宜に操作して、転送先のワークステーション装置ＷＳ１〜ＷＳｎの共有領域のフォルダ名、および、保存する画像データファイルのファイル名を入力する。このとき、ユーザは、自分に割り当てられているユーザコードを入力することができる（任意）。
【００４４】
そして、それらの入力を終了すると、ユーザは、操作表示部７を操作して、読取開始を指令する。
【００４５】
それにより、ネットワーク複合機ＭＦＰは、スキャナ５にセットされている読取原稿の画像を読み取り、適宜な符号化方式を適用して符号化複号化部８で符号化圧縮して、画像蓄積装置９に蓄積する。
【００４６】
ここで、ユーザコードの入力がされているかどうかを調べて、入力されている場合には、ユーザコードテーブルを参照し、入力されているユーザコードに対応したユーザ情報を取り出し、オーナー情報を取得する。
【００４７】
そして、取得したオーナー情報を、画像蓄積装置９に蓄積している画像データファイルに埋め込み、その画像データを、指定されたフォルダ名の共有領域へ、指定されたファイル名で転送保存する。
【００４８】
このようにして、本実施例では、ユーザがユーザコードを指定すると、そのときに読取指定して得た画像データファイルに、自分に登録されているオーナー情報が設定されるので、ワークステーション装置ＷＳ１〜ＷＳｎに保存された画像データファイルの所有者が誰であるかを簡単に調べることができ、非常に便利である。
【００４９】
図５は、ネットワークスキャナ機能が指定された場合のネットワーク複合機ＭＦＰの処理の一例を示している。
【００５０】
ユーザが読み取り原稿をスキャナ５にセットし（処理１０１）、そのときにユーザがユーザコードを入力した場合には（判断１０２の結果がＹＥＳ）、入力されたユーザコードを保存し（処理１０３）、転送先のワークステーション装置ＷＳ１〜ＷＳｎの共有領域のフォルダ名、および、保存する画像データファイルのファイル名を入力されるので、保存する（処理１０４）。
【００５１】
次いで、読取開始が指令されるまで待ち（判断１０５のＮＯループ）、読取開始が指令されて判断１０５の結果がＹＥＳになると、スキャナ５を読取動作して、セットされている読取原稿の画像を読み取り、それによって得た画像データを適宜な符号化方式を適用して符号化複号化部８で符号化圧縮して、画像蓄積装置９に蓄積する（処理１０６）。
【００５２】
ここで、ユーザコードの入力がされているかどうかを調べて（判断１０７）、入力されている場合で判断１０７の結果がＹＥＳになるときには、ユーザコードテーブルを参照し、入力されているユーザコードに対応したユーザ情報を取り出し、オーナー情報を取得する（処理１０８）。
【００５３】
そして、取得したオーナー情報を、画像蓄積装置９に蓄積している画像データファイルに埋め込み（処理１０９）、その画像データファイルを、指定されたフォルダ名の共有領域へ、指定されたファイル名で転送保存する（処理１１０）。
【００５４】
また、ユーザコードが入力されていない場合で、判断１０７の結果がＮＯになるときには、処理１０８，１０９を実行しないで処理１１０へ移行し、画像蓄積装置９に蓄積している画像データファイルを、指定されたフォルダ名の共有領域へ、指定されたファイル名で転送保存する。
【００５５】
ところで、上述した実施例では、ユーザコードに対応したオーナー情報を登録し、読み取って得た画像データファイルに設定するようにしているが、オーナー情報に代えてセキュリティ情報を設定することができる。この場合のセキュリティ情報とは、いわゆる、アクセス権／アクセス情報のことである。
【００５６】
その場合には、ユーザコードテーブルのユーザ情報は、図４（ｃ）に示すように、利用ユーザコードにアクセス権（アクセス情報）を登録した内容とする。
【００５７】
図６は、この場合に、ネットワークスキャナ機能が指定された場合のネットワーク複合機ＭＦＰの処理の一例を示している。
【００５８】
ユーザが読み取り原稿をスキャナ５にセットし（処理２０１）、そのときにユーザがユーザコードを入力した場合には（判断２０２の結果がＹＥＳ）、入力されたユーザコードを保存し（処理２０３）、転送先のワークステーション装置ＷＳ１〜ＷＳｎの共有領域のフォルダ名、および、保存する画像データファイルのファイル名を入力されるので、保存する（処理２０４）。
【００５９】
次いで、読取開始が指令されるまで待ち（判断２０５のＮＯループ）、読取開始が指令されて判断２０５の結果がＹＥＳになると、スキャナ５を読取動作して、セットされている読取原稿の画像を読み取り、それによって得た画像データを適宜な符号化方式を適用して符号化複号化部８で符号化圧縮して、画像蓄積装置９に蓄積する（処理２０６）。
【００６０】
ここで、ユーザコードの入力がされているかどうかを調べて（判断２０７）、入力されている場合で判断２０７の結果がＹＥＳになるときには、ユーザコードテーブルを参照し、入力されているユーザコードに対応したユーザ情報を取り出し、アクセス情報を取得する（処理２０８）。
【００６１】
そして、取得したオーナー情報を、画像蓄積装置９に蓄積している画像データファイルに付加し（処理２０９）、その画像データファイルを、指定されたフォルダ名の共有領域へ、指定されたファイル名で転送保存する（処理２１０）。
【００６２】
また、ユーザコードが入力されていない場合で、判断２０７の結果がＮＯになるときには、処理２０８，２０９を実行しないで処理２１０へ移行し、画像蓄積装置９に蓄積している画像データファイルを、指定されたフォルダ名の共有領域へ、指定されたファイル名で転送保存する。
【００６３】
また、ＳＭＢでは、データファイルに複数のアクセス権を設定することが可能である。そこで、ユーザがユーザコードを入力した際に、追加のアクセス権を設定入力することができる選択肢を設け、ユーザが所望するアクセス権の設定を行うことができるようにするとよい。
【００６４】
このようにして、本実施例では、画像データファイルに、セキュリティ情報としてアクセス権／アクセス情報を設定することができるので、他のユーザのアクセスを禁止することができ、セキュリティ上有利である。
【００６５】
図７は、この場合に、ネットワークスキャナ機能が指定された場合のネットワーク複合機ＭＦＰの処理の一例を示している。
【００６６】
ユーザが読み取り原稿をスキャナ５にセットし（処理３０１）、そのときにユーザがユーザコードを入力した場合には（判断３０２の結果がＹＥＳ）、入力されたユーザコードを保存し（処理３０３）、さらに、ユーザが追加のアクセス権を設定入力するかどうかを調べる（判断３０４）。判断３０４の結果がＹＥＳになるときには、入力された追加のアクセス権の情報を保存する（処理３０５）。
【００６７】
次に、転送先のワークステーション装置ＷＳ１〜ＷＳｎの共有領域のフォルダ名、および、保存する画像データファイルのファイル名を入力されるので、保存する（処理３０６）。
【００６８】
次いで、読取開始が指令されるまで待ち（判断３０７のＮＯループ）、読取開始が指令されて判断３０７の結果がＹＥＳになると、スキャナ５を読取動作して、セットされている読取原稿の画像を読み取り、それによって得た画像データを適宜な符号化方式を適用して符号化複号化部８で符号化圧縮して、画像蓄積装置９に蓄積する（処理３０８）。
【００６９】
ここで、ユーザコードの入力がされているかどうかを調べて（判断３０９）、入力されている場合で判断３０９の結果がＹＥＳになるときには、ユーザコードテーブルを参照し、入力されているユーザコードに対応したユーザ情報を取り出し、アクセス情報を取得し（処理３１０）、その取得したアクセス情報を、画像蓄積装置９に蓄積している画像データファイルに付加する（処理３１１）。
【００７０】
次いで、追加アクセス権の設定入力がされているかどうかを調べ（判断３１２）、判断３１２の結果がＹＥＳになるときには、画像データファイルに、追加のアクセス情報を付加する（処理３１３）。
【００７１】
そして、その画像データファイルを、指定されたフォルダ名の共有領域へ、指定されたファイル名で転送保存する（処理３１４）。
【００７２】
また、ユーザコードが入力されていない場合で、判断３０７の結果がＮＯになるときには、処理３１４へ移行し、画像蓄積装置９に蓄積している画像データファイルを、指定されたフォルダ名の共有領域へ、指定されたファイル名で転送保存する。
【００７３】
このようにして、本実施例では、画像データファイルに、追加のアクセス権／アクセス情報を設定することができるので、複数のユーザが当該画像データファイルをアクセスすることができ、セキュリティー管理下でのファイル共有が行え、非常に便利である。
【００７４】
ところで、ユーザコードテーブルのユーザ情報には、図４（ｄ）に示すようにオーナー情報とアクセス権の両方を登録することができる。
【００７５】
図８は、この場合に、ネットワークスキャナ機能が指定された場合のネットワーク複合機ＭＦＰの処理の一例を示している。
【００７６】
ユーザが読み取り原稿をスキャナ５にセットし（処理４０１）、そのときにユーザがユーザコードを入力した場合には（判断４０２の結果がＹＥＳ）、入力されたユーザコードを保存し（処理４０３）、転送先のワークステーション装置ＷＳ１〜ＷＳｎの共有領域のフォルダ名、および、保存する画像データファイルのファイル名を入力されるので、保存する（処理４０４）。
【００７７】
次いで、読取開始が指令されるまで待ち（判断４０５のＮＯループ）、読取開始が指令されて判断４０５の結果がＹＥＳになると、スキャナ５を読取動作して、セットされている読取原稿の画像を読み取り、それによって得た画像データを適宜な符号化方式を適用して符号化複号化部８で符号化圧縮して、画像蓄積装置９に蓄積する（処理４０６）。
【００７８】
ここで、ユーザコードの入力がされているかどうかを調べて（判断４０７）、入力されている場合で判断４０７の結果がＹＥＳになるときには、ユーザコードテーブルを参照し、入力されているユーザコードに対応したユーザ情報を取り出し、オーナー情報とアクセス情報を取得する（処理４０８，４０９）。
【００７９】
そして、取得したオーナー情報とアクセス情報を、画像蓄積装置９に蓄積している画像データファイルに付加し（処理４１０）、その画像データファイルを、指定されたフォルダ名の共有領域へ、指定されたファイル名で転送保存する（処理４１１）。
【００８０】
また、ユーザコードが入力されていない場合で、判断４０７の結果がＮＯになるときには、処理４１１へ移行し、画像蓄積装置９に蓄積している画像データファイルを、指定されたフォルダ名の共有領域へ、指定されたファイル名で転送保存する。
【００８１】
図９は、この場合に、ネットワークスキャナ機能が指定された場合のネットワーク複合機ＭＦＰの処理の他の例を示している。この場合は、ユーザに追加アクセス権の設定を許可する場合を示している。
【００８２】
ユーザが読み取り原稿をスキャナ５にセットし（処理５０１）、そのときにユーザがユーザコードを入力した場合には（判断５０２の結果がＹＥＳ）、入力されたユーザコードを保存し（処理５０３）、さらに、ユーザが追加のアクセス権を設定入力するかどうかを調べる（判断５０４）。判断５０４の結果がＹＥＳになるときには、入力された追加のアクセス権の情報を保存する（処理５０５）。
【００８３】
次に、転送先のワークステーション装置ＷＳ１〜ＷＳｎの共有領域のフォルダ名、および、保存する画像データファイルのファイル名を入力されるので、保存する（処理５０６）。
【００８４】
次いで、読取開始が指令されるまで待ち（判断５０７のＮＯループ）、読取開始が指令されて判断５０７の結果がＹＥＳになると、スキャナ５を読取動作して、セットされている読取原稿の画像を読み取り、それによって得た画像データを適宜な符号化方式を適用して符号化複号化部８で符号化圧縮して、画像蓄積装置９に蓄積する（処理５０８）。
【００８５】
ここで、ユーザコードの入力がされているかどうかを調べて（判断５０９）、入力されている場合で判断５０９の結果がＹＥＳになるときには、ユーザコードテーブルを参照し、入力されているユーザコードに対応したユーザ情報を取り出し、オーナー情報とアクセス情報を取得し（処理５１０，５１１）、その取得したオーナー情報とアクセス情報を、画像蓄積装置９に蓄積している画像データファイルに付加する（処理５１２）。
【００８６】
次いで、追加アクセス権の設定入力がされているかどうかを調べ（判断５１３）、判断５１３の結果がＹＥＳになるときには、画像データファイルに、追加のアクセス情報を付加する（処理５１４）。
【００８７】
そして、その画像データファイルを、指定されたフォルダ名の共有領域へ、指定されたファイル名で転送保存する（処理５１５）。
【００８８】
また、ユーザコードが入力されていない場合で、判断５０７の結果がＮＯになるときには、処理５１５へ移行し、画像蓄積装置９に蓄積している画像データファイルを、指定されたフォルダ名の共有領域へ、指定されたファイル名で転送保存する。
【００８９】
なお、本発明は、ネットワークスキャナ機能を備えた他のネットワーク画像処理装置、例えば、ネットワークファクシミリ装置等についても、同様にして適用することができる。
【００９０】
【発明の効果】
以上説明したように、本発明によれば、ユーザがユーザコードを指定すると、そのときに読取指定して得た画像データファイルに、自分に登録されているオーナー情報が設定されるので、共有領域に保存された画像データファイルの所有者が誰であるかを簡単に調べることができ、非常に便利であるという効果を得る。
【００９１】
また、画像データファイルに、セキュリティ情報としてアクセス権／アクセス情報を設定することができるので、他のユーザのアクセスを禁止することができ、セキュリティ上有利であるという効果も得る。
【００９２】
また、画像データファイルに、追加のアクセス権／アクセス情報を設定することができるので、複数のユーザが当該画像データファイルをアクセスすることができ、セキュリティー管理下でのファイル共有が行え、非常に便利であるという効果も得る。
【図面の簡単な説明】
【図１】本発明の一実施例にかかるネットワークシステムを示したブロック図。
【図２】ネットワーク複合機ＭＦＰの構成例を示したブロック図。
【図３】ワークステーション装置ＷＳ（ＷＳ１〜ＷＳｎ）の構成例を示したブロック図。
【図４】ユーザコードテーブルおよびユーザ情報の一例を示した概略図。
【図５】ネットワークスキャナ機能が指定された場合のネットワーク複合機ＭＦＰの処理の一例を示したフローチャート。
【図６】ネットワークスキャナ機能が指定された場合のネットワーク複合機ＭＦＰの処理の他の例を示したフローチャート。
【図７】ネットワークスキャナ機能が指定された場合のネットワーク複合機ＭＦＰの処理のさらに他の例を示したフローチャート。
【図８】ネットワークスキャナ機能が指定された場合のネットワーク複合機ＭＦＰの処理のまたさらに他の例を示したフローチャート。
【図９】ネットワークスキャナ機能が指定された場合のネットワーク複合機ＭＦＰの処理のさらに別の例を示したフローチャート。
【符号の説明】
ＭＦＰ  ネットワーク複合機
ＷＳ１〜ＷＳｎ  ワークステーション装置
【図１】
2004153518.tif 000003
【図２】
2004153518.tif 000004
【図３】
2004153518.tif 000005
【図４】
2004153518.tif 000006
【図５】
2004153518.tif 000007
【図６】
2004153518.tif 000008
【図７】
2004153518.tif 000009
【図８】
2004153518.tif 000010
【図９】
2004153518.tif 000011